(57)【要約】      （修正有）【課題】絵図または文様が施された装飾素体に複数形成された通し穴の任意の位置に異なった色の糸体をそれぞれ通して装飾させることができるので、縫い込ますための力を必要とせず、指先も損傷することなく容易に装飾を施すことができる装飾基体を提供する。【解決手段】絵図または文様が施された装飾素体２と、装飾素体に衣服模様を施すために複数形成された通し穴３とを備え、通し穴の任意の位置に異なった色の糸体４がそれぞれ通されて装飾される装飾基体１を得るものである。【選択図】図２
0003200972.tif 000002
【実用新案登録請求の範囲】
【請求項１】
絵図または文様が施された装飾素体と、前記装飾素体に衣服模様を施すために複数形成された通し穴とを備え、前記通し穴の任意の位置に異なった色の糸体がそれぞれ通されて装飾されることを特徴とする装飾基体。
【請求項２】
前記通し穴は規則的に形成されたことを特徴とする請求項１に記載の装飾基体。
【請求項３】
前記装飾素体は、ウサギなどの動物の形状に形成され、前記通し穴は前記ウサギなどの動物の腕部と胴体部に形成されたことを特徴とする請求項１または請求項２に記載の装飾基体。
【請求項４】
前記装飾素体は、キャラクターで構成されたことを特徴とする請求項１または請求項２に記載の装飾基体。
【請求項５】
前記装飾素体は、シート体で構成されて前記シート体に絵図または文様が施され、通し穴が複数形成されたことを特徴とする請求項１に記載の装飾基体。
【請求項６】
前記装飾素体は、前記シート体にこけし人形絵図が施されたことを特徴とする請求項５に記載の装飾基体。
【請求項７】
前記装飾素体は、ポストカードで構成され前記ポストカードに絵図または文様が施され、通し穴が複数形成されたことを特徴とする請求項１に記載の装飾基体。
【請求項８】
前記装飾素体は、前記ポストカードにサクランボ絵図が施されたことを特徴とする請求項７に記載の装飾基体。
【考案の詳細な説明】
【技術分野】
【０００１】
この考案は、装飾素体に装飾を施すための装飾基体に関するものである。
【背景技術】
【０００２】
従来の装飾基体としては、装飾素体に施された絵図に対し、その絵図の各範囲毎に刺繍糸の色を替えて装飾素体に刺繍していき装飾を施している。
【先行技術文献】
【特許文献】
【０００３】
【特許文献１】特開２００３−２２５１０４号公報
【考案の概要】
【考案が解決しようとする課題】
【０００４】
上述した従来の装飾基体は、刺繍糸が通された針を布地からなる装飾素体に施された絵図に沿って縫い込んで刺繍し、絵図の各範囲毎に選定した色の刺繍糸を針に通してさらに刺繍していき、装飾を完成させているので、針を布地からなる装飾素体に縫い込んでいく必要があり、縫い込ますための力が必要となるとともに指先を損傷するという問題点があった。
【０００５】
この考案は、上記のような課題を解決するためになされたものであり、その目的は、縫い込ますための力を必要とせず、指先も損傷することなく容易に装飾を施すことができる装飾基体を提供するものである。
【課題を解決するための手段】
【０００６】
この考案に係わる装飾基体は、絵図または文様が施された装飾素体と、前記装飾素体に衣服模様を施すために複数形成された通し穴とを備え、前記通し穴の任意の位置に異なった色の糸体がそれぞれ通されて装飾されるようにしたものである。
【考案の効果】
【０００７】
この考案の装飾基体によれば、絵図または文様が施された装飾素体に複数形成された通し穴の任意の位置に異なった色の糸体をそれぞれ通して装飾させることができるので、容易に装飾を施すことができる装飾基体を得ることができる。
【図面の簡単な説明】
【０００８】
【図１】図１はこの考案の実施の形態１に係わる装飾基体を示す正面図である。
【図２】図２はこの考案の実施の形態１に係わる装飾基体の装飾後の状態を示す正面図である。
【図３】図３はこの考案の実施の形態２に係わる装飾基体を示す正面図である。
【図４】図４はこの考案の実施の形態３に係わる装飾基体を示す正面図である。
【図５】図５はこの考案の実施の形態３に係わる装飾基体の装飾後の状態を示す正面図である。
【考案を実施するための形態】
【０００９】
実施の形態１．
以下、この考案の実施の形態１を図１および図２に基づいて説明するが、各図において、同一、または相当部材、部位については同一符号を付して説明する。図１はこの考案の実施の形態１に係わる装飾基体を示す正面図である。図２はこの考案の実施の形態１に係わる装飾基体の装飾後の状態を示す正面図である。
【００１０】
図１において、１は例えば厚紙のような紙材料からなる装飾基体であり、装飾基体１の装飾素体２には、絵図または文様が施されている。装飾素体２は、図は一例として、外周がウサギの形状とされた場合を示している。例えば、ウサギの形状とされた装飾素体２は、頭部２ａと、胴体部２ｂと、腕部２ｃと、耳部２ｄと、脚部２ｅとにより構成され、装飾素体２の頭部２ａには例えばウサギの目と鼻と口が設けられている。
【００１１】
装飾素体２には、例えば、胴体部２ｂと腕部２ｃに衣服模様を施すために複数形成された通し穴３が設けられている。これら複数形成された通し穴３は、規則的に縦横列に整列された状態で形成されている。
【００１２】
ウサギの形状とされた装飾素体２の胴体部２ｂと腕部２ｃに複数形成された通し穴３の任意の位置に異なった色の糸体をそれぞれ通すことにより装飾を施すことができるものである。
【００１３】
図２は、ウサギの形状とされた装飾素体２の胴体部２ｂと腕部２ｃに複数形成された通し穴３に異なった色の糸体である例えば刺繍糸をそれぞれ通して装飾を施した実施例を示したものである。
【００１４】
通し穴３への例えば刺繍糸の通し方は、例えば隣接する通し穴３の斜めの各通し穴３、横同士の各通し穴３、あるいは縦同士の各通し穴３に通して装飾を施すことができる。ウサギの形状とされた装飾素体２の胴体部２ｂの首回り部と腕部２ｃ、そして、胴体部２ｂの下端側で最下端を除く２層分は、例えば青色の刺繍糸４を各通し穴３の斜め、横同士、縦同士などに通して装飾を施し、装飾素体２のその他の部分については例えばオレンジ色の刺繍糸５を各通し穴３の斜め、横同士、縦同士などに通して装飾を施し、ウサギの形状とされた装飾素体２への装飾を完成させる。
【００１５】
ウサギの形状とされた装飾素体２への装飾は、任意の色の刺繍糸を選択して施すことができるので、図２の実施例に限定されるものではなく、任意の模様の刺繍糸による装飾を施すことができる。また、刺繍糸を各通し穴３の斜め、横同士、縦同士に通して装飾を施す場合について述べたが、必ずしもこれに限定されるものではなく、斜めだけ、横同士だけ、縦同士だけという通しかたによって装飾することもできる。
【００１６】
刺繍糸は針に通して行うが、刺繍糸を通した針を通し穴３に抵抗なく通すことができるので、上述した従来のように、縫い込ますための力を必要とせず、指先も損傷することなく容易に装飾を施すことができる装飾基体１を得ることができる。
【００１７】
また、上述した実施の形態１においては、装飾素体２の外周がウサギの形状とされた場合について述べたが、これに限定されるものではなく、クマ、フクロウ、ペンギン、ネコ、ウマなどの動物やカタツムリなどの種々の形状とすることもできる。
【００１８】
さらに、漫画、映画、アニメ、コンピュータゲームなどのフィクションに登場する人物や動物などのキャラクターの形状とすることもできる。
【００１９】
また、上述した実施の形態１においては、装飾基体の装飾素体がその外周を例えばウサギの形状とした場合について述べたが、装飾基体の装飾素体が例えばハガキなどのシート体で構成され、そのシート体に例えばウサギなどの形状が印刷されたものであってもよい。
【００２０】
実施の形態２．
この考案の実施の形態２を図３に基づいて説明する。図３はこの考案の実施の形態２に係わる装飾基体を示す正面図である。
【００２１】
上述した実施の形態１においては、装飾基体１の装飾素体２の外周が例えばウサギの形状とされた場合について述べたが、この実施の形態２においては、装飾基体１１が例えば厚紙のような紙材料からなるシート体１１ａに装飾素体２１である例えばこけし人形的な絵図が設けられた場合を示している。
【００２２】
例えば、こけし人形的な絵図の装飾素体２１は、頭部２１ａと、胴体部２１ｂとにより構成され、装飾素体２１の頭部２１ａには例えば目と口が設けられ、装飾素体２１の頭部２１ａの上には例えばリボンの飾り体２２が設けられている。
【００２３】
装飾素体２１には、例えば、胴体部２１ｂの輪郭に複数形成された通し穴３１が設けられ、装飾素体２１の頭部２１ａの上には例えばリボンの飾り体２２の輪郭に複数形成された通し穴３２が設けられている。これら複数形成された通し穴３１，３２に、それぞれ任意の色の刺繍糸を選択して装飾を施すことができる。
【００２４】
この実施の形態２においても、上述した実施の形態１と同様の効果を奏する。
【００２５】
実施の形態３．
この考案の実施の形態３を図４および図５に基づいて説明する、各図において、同一、または相当部材、部位については同一符号を付して説明する。図４はこの考案の実施の形態３に係わる装飾基体を示す正面図である。図５はこの考案の実施の形態３に係わる装飾基体の装飾後の状態を示す正面図である。
【００２６】
この実施の形態３においては、装飾基体１００の装飾素体１０１がポストカードで構成された場合を示し、折れ目１０１ａで折り曲げられ、ポストカード面１０１ｂと装飾面１０１ｃを有している。ポストカードで構成された装飾素体１０１の装飾面１０１ｃには絵図または文様が施される。
【００２７】
図は一例として、装飾素体１０１の装飾面１０１ｃの中央部に例えばサクランボ１０２の絵図が施された場合を示し、サクランボ１０２は、実１０２ａと軸１０２ｂとにより構成された場合を示している。
【００２８】
サクランボ１０２の実１０２ａには、装飾模様を施すために複数形成された通し穴１０３が設けられている。これら複数形成された通し穴１０３は、規則的に縦横列に整列された状態で形成されている。また、サクランボ１０２の軸１０２ｂには、装飾模様を施すために任意の間隔で複数形成された通し穴１０４が設けられている。
【００２９】
図５は、ポストカードで構成された装飾素体１０１の装飾面１０１ｃの絵図であるサクランボ１０２に複数形成された通し穴１０３，１０４に異なった色の糸体である例えば刺繍糸をそれぞれ通して装飾を施した実施例を示したものである。
【００３０】
サクランボ１０２の実１０２ａに形成された通し穴１０３へは例えばピンク色の刺繍糸を選択し、そのピンク色の刺繍糸を例えば隣接する通し穴１０３の斜めの各通し穴１０３に通して装飾を施すことができる。そして、サクランボ１０２の軸１０２ｂに形成された通し穴１０４へは例えば緑色の刺繍糸を選択し、その緑色の刺繍糸を各通し穴１０４に通して装飾を施すことができる。
【００３１】
図５の実施例に限定されるものではなく、任意の模様の刺繍糸による装飾を施すことができる。また、刺繍糸を各通し穴１０３の斜めに通した場合について述べたが、必ずしもこれに限定されるものではなく、横同士、縦同士、あるいはそれらの組み合わせによる通し方によって装飾を施すこともできる。この実施の形態３においても上述した各実施の形態と同様の効果を奏する。
【００３２】
なお、上述した実施の形態３においては、装飾素体１０１の装飾面１０１ｃの中央部に例えばサクランボ１０２の絵図が施された場合について述べたが、これに限定されるものではなく、ウサギ、クマ、フクロウ、ペンギンなどの動物の形状が印刷されたものであってもよく、漫画、映画、アニメ、コンピュータゲームなどのフィクションに登場する人物や動物などのキャラクターの形状であってもよく、上述した実施の形態３と同様の効果を奏する。
【００３３】
ところで、上述した各実施の形態においては、糸体が刺繍糸の場合について述べたが、これに限定されるものではなく、一般的な糸からなる糸体であってもよく、さらにはビニール系の糸体であってもよく、上述した各実施の形態と同様の効果を奏する。
【００３４】
なお、この考案は、その発明の範囲内において、各実施の形態を自由に組み合わせたり、各実施の形態を適宜、変形、省略することが可能である。
【産業上の利用可能性】
【００３５】
この考案は、容易に装飾を施すことができる装飾基体の実現に好適である。
【符号の説明】
【００３６】
１  装飾基体、２  装飾素体、２ｂ  胴体部、２ｃ  腕部、３  通し穴、１１  装飾基体、１１ａ  シート体、２１  装飾素体、３１  通し穴、１００  装飾基体、１０１  装飾素体、１０３  通し穴、１０４  通し穴
【図１】
0003200972.tif 000003
【図２】
0003200972.tif 000004
【図３】
0003200972.tif 000005
【図４】
0003200972.tif 000006
【図５】
0003200972.tif 000007